(57)【要約】【課題】ラベル編集装置にてラベル貼付対象物の色に適切なテープ色が自動的に決定されるラベル作成方法、ラベル編集装置、プログラム、及び記録媒体を提供すること。【解決手段】パーソナルコンピューターにおいて、決定された基準色がテープ情報に含まれている何れかのテープ色と一致する場合には、設定されたラベル貼付対象物の色がディスプレイ１０５の貼付対象表示領域５０１に表示されるとともに、決定された基準色が貼付対象表示領域５０１内のラベル表示領域５０２に表示される一方、決定された基準色がテープ情報に含まれている何れのテープ色とも一致しない場合には、設定されたラベル貼付対象物の色がディスプレイ１０５の貼付対象表示領域５０１に表示されるとともに、所定基準と決定された基準色とに基づいてテープ情報に含まれているテープ色の中から選択された色が貼付対象表示領域５０１内のラベル表示領域５０２に表示される。【選択図】図１０
2012073700.tif 000002
【特許請求の範囲】
【請求項１】
表示部と入力部と記憶部とを備えたラベル編集装置で実施されるラベル作成方法であって、
前記表示部内の貼付対象表示領域に表示されるラベル貼付対象物の色が前記入力部を介して入力された入力情報に基づいて設定される設定ステップと、
前記設定ステップで設定されたラベル貼付対象物の色に基づいて前記貼付対象表示領域内のラベル表示領域の表示色として基準色が決定される決定ステップと、
前記決定ステップで決定された基準色が前記記憶部に記憶されたテープ情報に含まれている何れかの色と一致するか否かが判定される判定ステップと、
前記決定ステップで決定された基準色が前記記憶部に記憶されたテープ情報に含まれている何れかの色と一致すると前記判定ステップで判定された場合に、前記設定ステップで設定されたラベル貼付対象物の色が前記表示部内の貼付対象表示領域に表示されるとともに、前記決定ステップで決定された基準色が前記貼付対象表示領域内のラベル表示領域に表示される第１表示ステップと、
前記決定ステップで決定された基準色が前記記憶部に記憶されたテープ情報に含まれている何れの色とも一致しないと前記判定ステップで判定された場合に、前記設定ステップで設定されたラベル貼付対象物の色が前記表示部内の貼付対象表示領域に表示されるとともに、所定基準と前記決定ステップで決定された基準色とに基づいて前記記憶部のテープ情報に含まれている色の中から選択された色が前記貼付対象表示領域内のラベル表示領域に表示される第２表示ステップと、を備えたこと、を特徴とするラベル作成方法。
【請求項２】
請求項１に記載するラベル作成方法であって、
前記第２表示ステップで扱われる所定基準として前記記憶部に記憶された色相環データが使用されること、を特徴とするラベル作成方法。
【請求項３】
請求項１又は請求項２に記載するラベル作成方法であって、
前記第１表示ステップ又は前記第２表示ステップで前記ラベル表示領域に表示された色と前記記憶部のテープ情報を介して組み合わされた文字色の一覧が前記表示部に表示される一覧表示ステップと、
前記一覧表示ステップで前記表示部に表示された一覧の中から一つの文字色が前記入力部を介して選択される文字色選択ステップと、
前記文字色選択ステップで選択された文字色と前記第１表示ステップ又は前記第２表示ステップで前記ラベル表示領域に表示された色と前記設定ステップで設定されたラベル貼付対象物の色とが使用されながら前記入力部を介して編集されるラベル編集画像が前記表示部に表示される編集ステップと、を備えたこと、を特徴とするラベル作成方法。
【請求項４】
請求項３に記載するラベル作成方法であって、
前記編集ステップで編集されたラベル編集画像に基づいてラベルが作成されるテープカセットのテープ色と文字色とが検出部を介して検出される検出ステップと、
前記検出ステップで検出されたテープ色と前記第１表示ステップ若しくは前記第２表示ステップで前記ラベル表示領域に表示された色とが一致しない場合に、又は前記検出ステップで検出された文字色と前記文字色選択ステップで選択された文字色とが一致しない場合に、前記表示部に警告メッセージが表示される警告表示ステップと、を備えたこと、を特徴とするラベル作成方法。
【請求項５】
請求項１乃至請求項４のいずれか一つに記載するラベル作成方法であって、
前記ラベル編集装置の第１通信部を介して前記記憶部のテープ情報が書き換えられる第１書換ステップを備えたこと、を特徴とするラベル作成方法。
【請求項６】
請求項１乃至請求項５のいずれか一つに記載するラベル作成方法であって、
前記入力部を介して前記記憶部のテープ情報が書き換えられる第２書換ステップを備えたこと、を特徴とするラベル作成方法。
【請求項７】
請求項１乃至請求項６のいずれか一つに記載するラベル作成方法であって、
前記記憶部に記憶された貼付対象データ情報に含まれている色の中から前記入力部を介して選択された色が、前記入力部を介して入力された入力情報として、前記設定ステップで扱われること、を特徴とするラベル作成方法。
【請求項８】
請求項１乃至請求項７のいずれか一つに記載するラベル作成方法であって、
前記記憶部に記憶された貼付対象データ情報に含まれている色が前記ラベル編集装置の第２通信部を介して取り込まれた画像データに基づいて書き換えられる第３書換ステップを備えたこと、を特徴とするラベル作成方法。
【請求項９】
請求項１乃至請求項８のいずれか一つに記載するラベル作成方法であって、
前記決定ステップは、
前記記憶部のテープ情報に含まれている複数の色が候補色として前記表示部に表示される候補色表示ステップと、
前記候補色表示ステップで前記表示部に表示された候補色の中から一つの色が基準色として前記入力部を介して選択される基準色選択ステップと、を備えたこと、
を特徴とするラベル作成方法。
【請求項１０】
請求項９に記載するラベル作成方法であって、
前記候補色表示ステップで前記表示部に表示された候補色の中には、前記設定ステップで設定されたラベル貼付対象物の色について前記記憶部に記憶された色相環データから求められた類似色又は補色が含まれること、を特徴とするラベル作成方法。
【請求項１１】
請求項１乃至請求項１０のいずれか一つに記載するラベル作成方法が実施されるラベル編集装置。
【請求項１２】
請求項１乃至請求項１０のいずれか一つに記載するラベル作成方法を実行させるためのプログラム。
【請求項１３】
請求項１２に記載するプログラムを記録した前記ラベル編集装置に読み取り可能な記録媒体。
【発明の詳細な説明】
【技術分野】
【０００１】
本発明は、カラー画像でラベル編集が行われるラベル作成方法、ラベル編集装置、プログラム、及び記録媒体に関するものである。
【背景技術】
【０００２】
下記特許文献１に記載された技術では、テンプレートを用いた画像編集装置において、テンプレートに挿入した文字色を容易に決定可能としている。具体的には、テンプレートに文字を挿入する文字スロットの背景を構成する画像もしくは色に基づいて、文字色を自動的に決定している。これにより、容易に適切な文字色の選択が可能になるという効果を有するとされる。
【先行技術文献】
【特許文献】
【０００３】
【特許文献１】特開２００２−１５８８６０号公報
【発明の概要】
【発明が解決しようとする課題】
【０００４】
しかしながら、ラベル編集装置で実施されるラベル作成方法においては、ラベルが貼付される対象物の色（背景色）が設定されても、ラベルとなるテープカセットのテープ色が数多く提供されていないことから、その背景色（ラベルが貼付される対象物の色）に適切なテープ色を決定することは、上記特許文献１に記載された技術画像編集とは異なり容易に行うことはできなかった。
【０００５】
そこで、本発明は、上述した点を鑑みてなされたものであり、ラベル編集装置にてラベル貼付対象物の色に適切なテープ色が自動的に決定されるラベル作成方法、ラベル編集装置、プログラム、及び記録媒体を提供することを課題とする。
【課題を解決するための手段】
【０００６】
この課題を解決するためになされた請求項１に係る発明は、表示部と入力部と記憶部とを備えたラベル編集装置で実施されるラベル作成方法であって、前記表示部内の貼付対象表示領域に表示されるラベル貼付対象物の色が前記入力部を介して入力された入力情報に基づいて設定される設定ステップと、前記設定ステップで設定されたラベル貼付対象物の色に基づいて前記貼付対象表示領域内のラベル表示領域の表示色として基準色が決定される決定ステップと、前記決定ステップで決定された基準色が前記記憶部に記憶されたテープ情報に含まれている何れかの色と一致するか否かが判定される判定ステップと、前記決定ステップで決定された基準色が前記記憶部に記憶されたテープ情報に含まれている何れかの色と一致すると前記判定ステップで判定された場合に、前記設定ステップで設定されたラベル貼付対象物の色が前記表示部内の貼付対象表示領域に表示されるとともに、前記決定ステップで決定された基準色が前記貼付対象表示領域内のラベル表示領域に表示される第１表示ステップと、前記決定ステップで決定された基準色が前記記憶部に記憶されたテープ情報に含まれている何れの色とも一致しないと前記判定ステップで判定された場合に、前記設定ステップで設定されたラベル貼付対象物の色が前記表示部内の貼付対象表示領域に表示されるとともに、所定基準と前記決定ステップで決定された基準色とに基づいて前記記憶部のテープ情報に含まれている色の中から選択された色が前記貼付対象表示領域内のラベル表示領域に表示される第２表示ステップと、を備えたこと、を特徴とする。
【０００７】
また、請求項２に係る発明は、請求項１に記載するラベル作成方法であって、前記第２表示ステップで扱われる所定基準として前記記憶部に記憶された色相環データが使用されること、を特徴とする。
また、請求項３に係る発明は、請求項１又は請求項２に記載するラベル作成方法であって、前記第１表示ステップ又は前記第２表示ステップで前記ラベル表示領域に表示された色と前記記憶部のテープ情報を介して組み合わされた文字色の一覧が前記表示部に表示される一覧表示ステップと、前記一覧表示ステップで前記表示部に表示された一覧の中から一つの文字色が前記入力部を介して選択される文字色選択ステップと、前記文字色選択ステップで選択された文字色と前記第１表示ステップ又は前記第２表示ステップで前記ラベル表示領域に表示された色と前記設定ステップで設定されたラベル貼付対象物の色とが使用されながら前記入力部を介して編集されるラベル編集画像が前記表示部に表示される編集ステップと、を備えたこと、を特徴とする。
【０００８】
また、請求項４に係る発明は、請求項３に記載するラベル作成方法であって、前記編集ステップで編集されたラベル編集画像に基づいてラベルが作成されるテープカセットのテープ色と文字色とが検出部を介して検出される検出ステップと、前記検出ステップで検出されたテープ色と前記第１表示ステップ若しくは前記第２表示ステップで前記ラベル表示領域に表示された色とが一致しない場合に、又は前記検出ステップで検出された文字色と前記文字色選択ステップで選択された文字色とが一致しない場合に、前記表示部に警告メッセージが表示される警告表示ステップと、を備えたこと、を特徴とする。
また、請求項５に係る発明は、請求項１乃至請求項４のいずれか一つに記載するラベル作成方法であって、前記ラベル編集装置の第１通信部を介して前記記憶部のテープ情報が書き換えられる第１書換ステップを備えたこと、を特徴とする。
【０００９】
また、請求項６に係る発明は、請求項１乃至請求項５のいずれか一つに記載するラベル作成方法であって、前記入力部を介して前記記憶部のテープ情報が書き換えられる第２書換ステップを備えたこと、を特徴とする。
また、請求項７に係る発明は、請求項１乃至請求項６のいずれか一つに記載するラベル作成方法であって、前記記憶部に記憶された貼付対象データ情報に含まれている色の中から前記入力部を介して選択された色が、前記入力部を介して入力された入力情報として、前記設定ステップで扱われること、を特徴とする。
【００１０】
また、請求項８に係る発明は、請求項１乃至請求項７のいずれか一つに記載するラベル作成方法であって、前記記憶部に記憶された貼付対象データ情報に含まれている色が前記ラベル編集装置の第２通信部を介して取り込まれた画像データに基づいて書き換えられる第３書換ステップを備えたこと、を特徴とする。
また、請求項９に係る発明は、請求項１乃至請求項８のいずれか一つに記載するラベル作成方法であって、前記決定ステップは、前記記憶部のテープ情報に含まれている複数の色が候補色として前記表示部に表示される候補色表示ステップと、前記候補色表示ステップで前記表示部に表示された候補色の中から一つの色が基準色として前記入力部を介して選択される基準色選択ステップと、を備えたこと、を特徴とする。
【００１１】
また、請求項１０に係る発明は、請求項９に記載するラベル作成方法であって、前記候補色表示ステップで前記表示部に表示された候補色の中には、前記設定ステップで設定されたラベル貼付対象物の色について前記記憶部に記憶された色相環データから求められた類似色又は補色が含まれること、を特徴とする。
また、請求項１１に係る発明は、ラベル編集装置であって、請求項１乃至請求項１０のいずれか一つに記載するラベル作成方法が実施されること、を特徴とする。
【００１２】
また、請求項１２に係る発明は、プログラムであって、請求項１乃至請求項１０のいずれか一つに記載するラベル作成方法を実行させること、を特徴とする。
また、請求項１３に係る発明は、記録媒体であって、請求項１２に記載するプログラムを記録した前記ラベル編集装置に読み取り可能なこと、を特徴とする。
【発明の効果】
【００１３】
すなわち、本発明に係るラベル作成方法、ラベル編集装置、プログラム、及び記録媒体では、表示部と入力部と記憶部とを備えたラベル編集装置において、決定ステップで決定された基準色が記憶部に記憶されたテープ情報に含まれている何れかの色と一致すると判定ステップで判定された場合には、第１表示ステップが実行されて、設定ステップで設定されたラベル貼付対象物の色が表示部内の貼付対象表示領域に表示されるとともに、決定ステップで決定された基準色が貼付対象表示領域内のラベル表示領域に表示される一方、決定ステップで決定された基準色が記憶部に記憶されたテープ情報に含まれている何れの色とも一致しないと判定ステップで判定された場合には、第２表示ステップが実行されて、設定ステップで設定されたラベル貼付対象物の色が表示部内の貼付対象表示領域に表示されるとともに、所定基準と決定ステップで決定された基準色とに基づいて記憶部のテープ情報に含まれている色の中から選択された色が貼付対象表示領域内のラベル表示領域に表示される。つまり、表示部と入力部と記憶部とを備えたラベル編集装置において、入力部を介して入力された入力情報に基づいて設定されたラベル貼付対象物の色（表示部内の貼付対象表示領域に表示される色）に適切なテープ色（表示部内の貼付対象表示領域内のラベル表示領域に表示される色）が、記憶部のテープ情報に含まれている色の中からユーザーの手間無くして自動的に決定される。
【図面の簡単な説明】
【００１４】
【図１】本発明の一実施形態に係るラベル作成方法が行われるラベル印刷システムを表した概略図である。
【図２】ラベルライターを表した平面図である。
【図３】ラベルライターを表した側面図である。
【図４】ラベルライターの制御系を表したブロック図である。
【図５】パーソナルコンピューターの制御系を表したブロック図である。
【図６】サーバーの制御系を表したブロック図である。
【図７】同ラベル作成方法の実行中に使用されるデータ群を表した概念図である。
【図８】同ラベル作成方法が実行中の表示画面を表した図である。
【図９】同ラベル作成方法の実行中に使用されるテープ情報を表した概念図である。
【図１０】同ラベル作成方法が実行中の表示画面を表した図である。
【図１１】同ラベル作成方法が実行中の表示画面を表した図である。
【図１２】同ラベル作成方法が実行中の表示画面を表した図である。
【図１３】同ラベル作成方法が実行中の表示画面を表した図である。
【図１４】同ラベル作成方法を実行するためのラベル作成方法プログラムが表されたフローチャート図である。
【図１５】同ラベル作成方法を実行するためのラベル作成方法プログラムが表されたフローチャート図である。
【図１６】同ラベル作成方法を実行するためのラベル作成方法プログラムが表されたフローチャート図である。
【図１７】同ラベル作成方法を実行するためのラベル作成方法プログラムが表されたフローチャート図である。
【発明を実施するための形態】
【００１５】
［１．本発明の構成］以下、本発明の一実施形態を図面を用いて説明する。図１は、本発明の一実施形態に係るラベル作成方法が行われるラベル印刷システムＰを表した概略図である。図１に表されたラベル印刷システムＰでは、ネットワーク網Ｎを介して、パーソナルコンピューター１０１とサーバー２０１とが接続される。更に、パーソナルコンピューター１０１は、ラベルライター１が接続されており、ディスプレイ１０５や入力操作部１０７等を有する。入力操作部１０７は、キーボードやマウスで構成される。本実施形態に係るラベル作成方法を実行するためのラベル作成プログラムは、ＣＤ−ＲＯＭ３１１又は送信ファイル３１２を介して、パーソナルコンピューター１０１にインストールされる。送信ファイル３１２は、サーバー２０１から送信される。このインストールにより、本実施形態に係るラベル作成方法がパーソナルコンピューター１０１で実行可能となる。尚、本実施形態に係るラベル作成方法をラベルライター１で実行させる場合には、パーソナルコンピューター１０１によって、本実施形態に係るラベル作成方法を実行するためのラベル作成プログラムをラベルライター１にインストールさせる。
【００１６】
図２は、ラベルライター１を表した平面図である。図３は、ラベルライター１を表した側面図である。図２や図３に表したように、ラベルライター１は、カバー２や、キーボード３、液晶ディスプレイ４、カセット収納部５、カセットセンサー７等を有する。キーボード３は、書換ボタン３Ａや、続行ボタン３Ｂ、矢印キー３Ｃ、エンターキー３Ｄ等を有する。カセットセンサー７は、カセット収納部５に装着されたテープカセット６のテープ色やインクリボン色を検出する。尚、テープカセット６のインクリボンの色は、ラベルライター１で作成されたラベルＬの文字色に相当する。
【００１７】
図４は、ラベルライター１の制御系を表したブロック図である。ラベルライター１は、制御部６０や、ヘッド駆動回路６８、切断用モーター駆動回路６９、搬送モーター駆動回路７０等を有する。制御部６０は、ＣＰＵ６１や、ＣＧ−ＲＯＭ６２、ＥＥＰＲＯＭ６３、ＲＯＭ６４、ＲＡＭ６６により構成される。更に、制御部６０は、ヘッド駆動回路６８や、切断用モーター駆動回路６９、搬送モーター駆動回路７０に接続される。その上、制御部６０は、キーボード３や、液晶ディスプレイ４、カセットセンサー７、接続インターフェース８１、通信インターフェース８２にも接続される。
【００１８】
ＣＰＵ６１は、ラベルライター１における各種制御の中枢を担う中央演算処理装置である。従って、ＣＰＵ６１は、キーボード３等からの入力信号及び各種制御プログラム等に基づいて、液晶ディスプレイ４等を制御する。ＣＧ−ＲＯＭ６２は、印字される文字や記号の画像データがコードデータと対応させてドットパターンで記憶されるキャラクタージェネレータ用メモリである。ＥＥＰＲＯＭ６３は、記憶内容の書込・消去ができる不揮発性メモリであり、後述するデータ等が記憶される。ＲＯＭ６４には、ラベルライター１における各種制御プログラムやデータが記憶される。ＲＡＭ６６は、ＣＰＵ６１での演算結果等が一時的に記憶される記憶装置である。ＲＡＭ６６には、例えば、キーボード３の入力により編集された印字データや、パーソナルコンピューター１０１から接続インターフェース８１を介して取り込まれた印字データ、周辺機器３０１から通信インターフェース８２を介して取り込まれた画像データ３０２が記憶される。周辺機器３０１には、例えば、デジタルカメラやスキャナー等がある。
【００１９】
ヘッド駆動回路６８は、ＣＰＵ６１からの制御信号に基づいてサーマルヘッド７１に駆動信号を供給し、サーマルヘッド７１の駆動状態を制御する回路である。切断用モーター駆動回路６９は、ＣＰＵ６１からの制御信号に基づいて切断用モーター７２に駆動信号を供給し、切断用モーター７２の駆動制御を行う回路である。搬送モーター駆動回路７０は、ＣＰＵ６１からの制御信号に基づいてテープ搬送モーター７３に駆動信号を供給し、テープ搬送モータ−７３の駆動制御を行う制御回路である。ＣＰＵ６１は、これらの制御回路６８，６９，７０を使用することにより、カセット収納部５に装着中のテープカセット６内でインクリボンを介して印刷させたテープを、当該テープカセット６外で切断させることによりラベルＬを作成する。
【００２０】
カセットセンサー７は、上述したように、カセット収納部５に装着されたテープカセット６のテープ色やインクリボン色を検出する。尚、カセットセンサー７の検出原理には、例えば、カセット収納部５に装着中のテープカセット６から突出する複数の突出片を検知し、検知された複数の突出片の組合せに基づいてテープカセット６のテープ色やインクリボン色を検出するものがある。
【００２１】
図５は、パーソナルコンピューター１０１の制御系を表したブロック図である。パーソナルコンピューター１０１は、制御部１１０を有する。制御部１１０は、ＣＰＵ１１１や、ＲＯＭ１１２、ＲＡＭ１１３、ＨＤＤ１１４により構成される。更に、制御部１１０は、ディスプレイ１０５や、入力操作部１０７、第１通信インターフェース１１５、接続インターフェース１１６、第２通信インターフェース１１７に接続される。
【００２２】
ＣＰＵ１１１は、パーソナルコンピューター１０１における各種制御の中枢を担う中央演算処理装置である。従って、ＣＰＵ１１１は、入力操作部１０７等からの入力信号及び各種制御プログラム等に基づいて、ディスプレイ１０５等を制御する。ＲＯＭ１１２には、パーソナルコンピューター１０１における各種制御プログラムやデータが記憶される。ＲＡＭ１１３は、ＣＰＵ１１１での演算結果等が一時的に記憶される記憶装置である。ＲＡＭ１１３には、例えば、入力操作部１０７等の入力により編集された印字データや、ネットワーク網Ｎから第１通信インターフェース１１５を介して取り込まれたデータ、ラベルライター１に接続インターフェース１１６を介して送り出す印字データ、周辺機器３０１から第２通信インターフェース１１７を介して取り込まれた画像データ３０２が記憶される。周辺機器３０１には、例えば、デジタルカメラやスキャナー等がある。ＨＤＤ１１４は、複数の記憶領域１１４Ａ，１１４Ｂ…を有し、記憶内容の書込・消去ができる大容量メモリであり、後述するデータ等が記憶される。
【００２３】
図６は、サーバー２０１の制御系を表したブロック図である。サーバー２０１は、サーバー制御部２０２を有する。サーバー制御部２０２は、サーバー２０１における各種制御の中枢を担う中央演算処理装置である。更に、サーバー制御部２０２は、データベース２０３に接続される。データベース２０３には、本実施形態に係るラベル作成方法を実行するためのラベル作成プログラム２０３Ａや、最新テープ情報２０３Ｂ等のデータが記憶される。尚、ラベル作成プログラム２０３Ａは、送信ファイル３１２を介して、パーソナルコンピューター１０１にインストールされる（上記図１参照）。更に、データベース２０３には、ネットワーク網Ｎから通信インターフェース２０４を介して取り込まれたデータが記憶される。
【００２４】
図７は、本実施形態に係るラベル作成方法が実行される際に使用されるデータ群４０１を表した概念図である。図７に表されたように、本実施形態に係るラベル作成方法が実行される際に使用されるデータ群４０１には、テープ情報４０２や、色相環データ４０３、警告メッセージデータ４０４、貼付対象データ情報４０５等がある。テープ情報４０２には、メーカーから現実に供給されている全部又は一部のテープカセット６についてインクリボン色である文字色とテープ色との組合せの情報が含まれている。色相環データ４０３には、色相環に関する色の情報が含まれている。警告メッセージデータ４０４には、警告メッセージの文字情報が含まれている。貼付対象データ情報４０５には、ラベル貼付対象物の色に関するサンプル情報が含まれている。これらのデータ４０２乃至４０５は、本実施形態に係るラベル作成方法がパーソナルコンピューター１０１で実行される場合にはＨＤＤ１１４に記憶され、本実施形態に係るラベル作成方法がラベルライター１で実行される場合にはＥＥＰＲＯＭ６３に記憶される。
【００２５】
［２．本発明の動作］次に、本実施形態に係るラベル作成方法について説明する。図１４乃至図１６は、本実施形態に係るラベル作成方法を実行するためのラベル作成方法プログラムが表されたフローチャート図である。尚、図１４乃至図１６のフローチャートで表されたラベル作成方法プログラムの各々は、本実施形態に係るラベル作成方法がパーソナルコンピューター１０１で実行される場合にはＨＤＤ１１４等に記憶されるとともにＣＰＵ１１１により実行され、本実施形態に係るラベル作成方法がラベルライター１で実行される場合にはＥＥＰＲＯＭ６３等に記憶されるとともにＣＰＵ６１により実行される。
【００２６】
図１４に表されたように、本実施形態に係るラベル作成方法では、先ず、Ｓ１において、準備処理が行われる。この処理では、図８に表されたように、貼付対象表示領域５０１内においてラベル表示領域５０２が表示される。貼付対象表示領域５０１は、ラベルＬが貼付される対象であるラベル貼付対象物が表示される領域に相当する。ラベル表示領域５０２は、ラベルＬに相当し、つまり、ラベル貼付対象物に貼付されるラベルＬが表示される領域に相当する。貼付対象表示領域５０１とラベル表示領域５０２とは、本実施形態に係るラベル作成方法がパーソナルコンピューター１０１で実行される場合にはディスプレイ１０５に表示され、本実施形態に係るラベル作成方法がラベルライター１で実行される場合には液晶ディスプレイ４に表示される。尚、この図１４のＳ１の準備処理は、下記Ｓ５の第１表示処理や下記Ｓ６の第２表示処理で行ってもよい。
【００２７】
次のＳ２では、設定処理が行われる。この処理では、貼付対象表示領域５０１に表示されるラベル貼付対象物の色が設定される。ここで、本実施形態に係るラベル作成方法がパーソナルコンピューター１０１で実行される場合には、ＨＤＤ１１４に記憶された貼付対象データ情報４０５に含まれている全てのサンプル色がディスプレイ１０５に一旦表示され、その一旦表示されたサンプル色の中から入力操作部１０７を介してユーザーによって選択された色が、貼付対象表示領域５０１に表示されるラベル貼付対象物の色として設定される。一方、本実施形態に係るラベル作成方法がラベルライター１で実行される場合には、ＥＥＰＲＯＭ６３に記憶された貼付対象データ情報４０５に含まれている全てのサンプル色が液晶ディスプレイ４に一旦表示され、その一旦表示されたサンプル色の中からキーボード３（の矢印キー３Ｃやエンターキー３Ｄ）を介してユーザーによって選択された色が、貼付対象表示領域５０１に表示されるラベル貼付対象物の色として設定される。もっとも、上述したような入力操作部１０７又はキーボード３を介したサンプル色についての所定範囲の入力情報ではなく、入力操作部１０７又はキーボード３を介した色についての自由な入力情報に基づいて、貼付対象表示領域５０１に表示されるラベル貼付対象物の色が設定されてもよい。あるいは、周辺機器３０１からパーソナルコンピューター１０１又はラベルライター１に取り込まれた画像データ３０２が貼付対象表示領域５０１に表示されるようにしてもよい。
【００２８】
次のＳ３では、決定処理が行われる。この処理では、上記Ｓ２の設定処理で設定されたラベル貼付対象物の色（貼付対象表示領域５０１の表示色）に適した基準色が貼付対象表示領域５０１内のラベル表示領域５０２の表示色として決定される。この基準色の決定の際には、図１６に表されたように、Ｓ２１の候補色表示処理とＳ２２の基準色選択処理とが行われる。図１６のＳ２１で行われる候補色表示処理では、テープ情報４０２に含まれている複数の色が候補色として一旦表示される。このとき、一旦表示された候補色の中には、図１４の上記Ｓ２の設定処理で設定されたラベル貼付対象物の色（貼付対象表示領域５０１の表示色）の類似色又は補色を色相環データ４０３から求めて含ませてもよい。
【００２９】
テープ情報４０２に含まれている複数の色とは、テープ情報４０２に含まれているテープカセット６のテープ色の各々をいう。テープ情報４０２には、現実に供給されているテープカセット６のインクリボン色である文字色とテープ色との組合せの情報が含まれており、図９（ａ）に表されたテープ情報４０２Ａ又は図９（ｂ）に表されたテープ情報４０２Ｂのいずれかの形態がある。図９（ａ）に表されたテープ情報４０２Ａは、メーカーによって現実に供給されている全てのテープカセット６のインクリボン色である文字色とテープ色との組合せの情報である。図９（ｂ）に表されたテープ情報４０２Ｂは、メーカーによって現実に供給されている一部のテープカセット６のインクリボン色である文字色とテープ色との組合せの情報である。尚、図９（ｂ）に表されたテープ情報４０２Ｂは、ユーザーが現実に所持している全てのテープカセット６のインクリボン色である文字色とテープ色との組合せの情報と一致していることが望ましい。
【００３０】
ここで、本実施形態に係るラベル作成方法がパーソナルコンピューター１０１で実行される場合には、ＨＤＤ１１４に記憶されたテープ情報４０２に含まれているテープ色（や類似色又は補色）が、図１３に表されたように、ディスプレイ１０５の候補色表示欄５０６に候補色として一旦表示される。一方、本実施形態に係るラベル作成方法がラベルライター１で実行される場合には、ＥＥＰＲＯＭ６３に記憶されたテープ情報４０２に含まれているテープ色（や類似色又は補色）が、図１３に表されたように、液晶ディスプレイ４の候補色表示欄５０６に候補色として一旦表示される。
【００３１】
図１６に戻って、次のＳ２２で行われる基準色選択処理では、上記Ｓ２１の候補色表示処理で一旦表示された候補色の中から一つの色が基準色として選択される。ここで、本実施形態に係るラベル作成方法がパーソナルコンピューター１０１で実行される場合には、上記Ｓ２１の候補色表示処理でディスプレイ１０５の候補色表示欄５０６に一旦表示された候補色の中から入力操作部１０７を介してユーザーによって選択された一つの色が基準色として選択される。一方、本実施形態に係るラベル作成方法がラベルライター１で実行される場合には、上記Ｓ２１の候補色表示処理で液晶ディスプレイ４の候補色表示欄５０６に一旦表示された候補色の中からキーボード３（の矢印キー３Ｃやエンターキー３Ｄ）を介してユーザーによって選択された一つの色が基準色として選択される。もっとも、図１６に表されたＳ２１の候補色表示処理やＳ２２の基準色選択処理の双方を行うことなく、ＨＤＤ１１４又はＥＥＰＲＯＭ６３に記憶された色相環データ４０３に基づいて、図１４の上記Ｓ２の設定処理で設定されたラベル貼付対象物の色（貼付対象表示領域５０１の表示色）に適した基準色が貼付対象表示領域５０１内のラベル表示領域５０２の表示色として自動的に決定されてもよい。
【００３２】
その後は、図１４に戻って、次のＳ４では、上記Ｓ３の決定処理で決定された基準色がテープ情報４０２に含まれている何れかの色と一致するか否かが判定される。テープ情報４０２に含まれている何れかの色とは、ＨＤＤ１１４又はＥＥＰＲＯＭ６３に記憶されたテープ情報４０２に含まれているテープカセット６のテープ色の各々をいう。ここで、上記Ｓ３の決定処理で決定された基準色がテープ情報４０２に含まれている何れかの色と一致する場合（Ｓ４：ＹＥＳ）には、下記Ｓ５の第１表示処理に進む。一方、上記Ｓ３の決定処理で決定された基準色がテープ情報４０２に含まれている何れの色とも一致しない場合（Ｓ４：ＮＯ）には、下記Ｓ６の第２表示処理に進む。
【００３３】
Ｓ５の第１表示処理では、上記Ｓ２の設定処理で設定されたラベル貼付対象物の色が貼付対象表示領域５０１に表示されるとともに、上記Ｓ３の決定処理で決定された基準色が貼付対象表示領域５０１内のラベル表示領域５０２に表示される。これらの表示処理は、本実施形態に係るラベル作成方法がパーソナルコンピューター１０１で実行される場合にはディスプレイ１０５で行われ、本実施形態に係るラベル作成方法がラベルライター１で実行される場合には液晶ディスプレイ４で行われる。
【００３４】
Ｓ６の第２表示処理では、上記Ｓ２で設定されたラベル貼付対象物の色が貼付対象表示領域５０１に表示されると共に、所定基準と上記Ｓ３で決定された基準色とに基づいてＨＤＤ１１４又はＥＥＰＲＯＭ６３に記憶されたテープ情報４０２に含まれているテープ色の中から選択された色が貼付対象表示領域５０１内のラベル表示領域５０２に表示される。これらの表示処理は、本実施形態に係るラベル作成方法がパーソナルコンピューター１０１で実行される場合にはディスプレイ１０５で行われ、本実施形態に係るラベル作成方法がラベルライター１で実行される場合には液晶ディスプレイ４で行われる。尚、所定基準には、例えば、ＨＤＤ１１４又はＥＥＰＲＯＭ６３に記憶されたテープ情報４０２に含まれているテープカセット６のテープ色の各々から上記Ｓ３の決定処理で決定された基準色に最も類似する色を、ＨＤＤ１１４又はＥＥＰＲＯＭ６３に記憶された色相環データ４０３を使用して選択する基準がある。
【００３５】
上記Ｓ５の第１表示処理又は上記Ｓ６の第２表示処理が行われた後は、次のＳ７の一覧表示処理が行われる。この処理では、上記Ｓ５の第１表示処理又は上記Ｓ６の第２表示処理でラベル表示領域５０２に表示された色とＨＤＤ１１４又はＥＥＰＲＯＭ６３に記憶されたテープ情報４０２を介して組み合わされた文字色の一覧が一旦表示される。この表示処理は、例えば、図１１に表されたように、本実施形態に係るラベル作成方法がパーソナルコンピューター１０１で実行される場合にはディスプレイ１０５の文字色一覧表示欄５０４で行われ、本実施形態に係るラベル作成方法がラベルライター１で実行される場合には液晶ディスプレイ４の文字色一覧表示欄５０４で行われる。尚、図１１に表された文字色一覧表示欄５０４の内容となるケースには、例えば、ＨＤＤ１１４又はＥＥＰＲＯＭ６３に記憶されたテープ情報４０２が図９（ａ）に表されたテープ情報４０２Ａであって、上記Ｓ５の第１表示処理又は上記Ｓ６の第２表示処理でラベル表示領域５０２に表示された色が「黄」であるケースがある。
【００３６】
図１４に戻って、上記Ｓ７の一覧表示処理が行われた後は、次のＳ８の文字色選択処理が行われる。この処理では、上記Ｓ７の一覧表示処理で文字色一覧表示欄５０４に一旦表示された一覧の中から一つの文字色がユーザーによって選択される。ここで、本実施形態に係るラベル作成方法がパーソナルコンピューター１０１で実行される場合には、上記Ｓ７の一覧表示処理でディスプレイ１０５の文字色一覧表示欄５０４に一旦表示された一覧の中から一つの文字色が入力操作部１０７を介してユーザーによって選択される。一方、本実施形態に係るラベル作成方法がラベルライター１で実行される場合には、上記Ｓ７の一覧表示処理で液晶ディスプレイ４の文字色一覧表示欄５０４に一旦表示された一覧の中から一つの文字色がキーボード３（の矢印キー３Ｃやエンターキー３Ｄ）を介してユーザーによって選択される。
【００３７】
上記Ｓ８の文字色選択処理が行われた後は、次のＳ９の編集処理が行われる。この処理では、例えば、図１０に表されたように、上記Ｓ２の設定処理で設定されたラベル貼付対象物の色が表示された貼付対象表示領域５０１と、上記Ｓ５の第１表示処理又は上記Ｓ６の第２表示処理で色が表示されたラベル表示領域５０２と、を有するラベル編集画像５０３において、ユーザーは、上記Ｓ８の文字色選択処理で選択された文字色を使用しながらラベル表示領域５０２内でラベル編集を行う。このラベル編集は、本実施形態に係るラベル作成方法がパーソナルコンピューター１０１で実行される場合にはディスプレイ１０５上で入力操作部１０７を介してユーザーによって行われ、本実施形態に係るラベル作成方法がラベルライター１で実行される場合には液晶ディスプレイ４上でキーボード３を介してユーザーによって行われる。
【００３８】
図１４に戻って、上記Ｓ９の編集処理が終了した後は、次のＳ１０の検出処理が行われる。この処理では、上記Ｓ９の編集処理で編集されたラベル編集画像５０３に基づいてラベルＬが作成されることになる、カセット収納部５に装着中のテープカセット６のテープ色とインクリボン色（文字色）とがカセットセンサー７を介して検出される。次のＳ１１では、ラベル編集画像５０３の表示内容と上記Ｓ１０の検出処理における検出結果とが一致するか否かが判定される。この判定は、本実施形態に係るラベル作成方法がパーソナルコンピューター１０１で実行される場合には上記Ｓ１０の検出処理における検出結果を接続インターフェース８１，１１６を介してラベルライター１から受け取ったＣＰＵ１１１によって行われ、本実施形態に係るラベル作成方法がラベルライター１で実行される場合にはＣＰＵ６１によって行われる。ここで、上記Ｓ１０の検出処理で検出されたテープ色と上記Ｓ５の第１表示処理又は上記Ｓ６の第２表示処理で表示されたラベル表示領域５０２に表示された色とが一致しない場合（Ｓ１１：ＮＯ）、または、上記Ｓ１０の検出処理で検出されたインクリボン色（文字色）と上記Ｓ８の文字色選択処理で選択された文字色とが一致しない場合（Ｓ１１：ＮＯ）には、Ｓ１２に進んで、警告表示処理が行われる。
【００３９】
上記Ｓ１２の警告表示処理では、「テープカセットのテープ色と文字色を確認して下さい。」との警告メッセージが表示され、カセット収納部５に装着中のテープカセット６の交換が促される。その警告メッセージのデータは、図７に表された警告メッセージデータ４０４に含まれる。この表示処理は、例えば、図１２に表されたように、本実施形態に係るラベル作成方法がパーソナルコンピューター１０１で実行される場合にはディスプレイ１０５の警告メッセージ表示欄５０５で行われ、本実施形態に係るラベル作成方法がラベルライター１で実行される場合には液晶ディスプレイ４の警告メッセージ表示欄５０５で行われる。尚、本実施形態に係るラベル作成方法がパーソナルコンピューター１０１で実行される場合には、「テープカセットのテープ色と文字色を確認して下さい。」との警告メッセージを音声出力させてもよい。
【００４０】
上記図１４のＳ１２の警告表示処理が行われた後は、上記Ｓ１０の検出処理に戻って、上記Ｓ１０の検出処理以降の処理が繰り返される。もっとも、上記Ｓ１２の警告表示処理が行われた後は、上記Ｓ１乃至上記Ｓ９のいずれかの処理に戻って、その戻った処理以降の処理が繰り返されてもよい。このとき、入力操作部１０７又はキーボード３からの入力情報をトリガーにして、そのような繰り返し処理から抜け出して初期状態に戻ることが可能な割り込み処理を同時に行ってもよい。
【００４１】
一方、上記Ｓ１０の検出処理で検出されたテープ色と上記Ｓ５の第１表示処理又は上記Ｓ６の第２表示処理で表示されたラベル表示領域５０２に表示された色とが一致し、さらに、上記Ｓ１０の検出処理で検出されたインクリボン色（文字色）と上記Ｓ８の文字色選択処理で選択された文字色とが一致する場合（Ｓ１１：ＹＥＳ）には、Ｓ１３の印刷処理に進んで、ラベルライター１にて印刷処理が行われ、ラベル編集画像５０３の表示内容が印刷されたラベルＬが作成される。その後は、図１４のフローチャートで表されたラベル作成方法プログラムが終了される。
【００４２】
次に、図１５のフローチャートで表されたラベル作成方法について説明する。図１５に表された本実施形態に係るラベル作成方法では、先ず、Ｓ３１において、書換ボタンが押下されたか否かが判定される。書換ボタンを押下するためには、本実施形態に係るラベル作成方法がパーソナルコンピューター１０１で実行される場合には、ディスプレイ１０５に表示された書換ボタン（不図示）が入力操作部１０７のマウスを介してユーザーによってクリックされる。一方、本実施形態に係るラベル作成方法がラベルライター１で実行される場合には、キーボード３の書換ボタン３Ａがユーザーによって押下される。ここで、書換ボタンが押下されていない場合（Ｓ３１：ＮＯ）には、図１５のフローチャートで表されたラベル作成方法プログラムが終了される。一方、書換ボタンが押下された場合（Ｓ３１：ＹＥＳ）には、Ｓ３２に進む。Ｓ３２で行われる書換メニュー表示処理では、図示されないが、第１書換・第２書換・第３書換の３つの書換が表示された書換メニューが一旦表示される。この表示処理は、本実施形態に係るラベル作成方法がパーソナルコンピューター１０１で実行される場合にはディスプレイ１０５で行われ、本実施形態に係るラベル作成方法がラベルライター１で実行される場合には液晶ディスプレイ４で行われる。その後は、Ｓ３３に進む。
【００４３】
Ｓ３３では、第１書換の選択が行われたか否かを判定する。この判定は、本実施形態に係るラベル作成方法がパーソナルコンピューター１０１で実行される場合には、上記Ｓ３２の書換メニュー表示処理でディスプレイ１０５に一旦表示された書換メニュー上で入力操作部１０７を介してユーザーにより第１書換の選択が行われたか否かにより行われる。一方、本実施形態に係るラベル作成方法がラベルライター１で実行される場合には、上記Ｓ３２の書換メニュー表示処理で液晶ディスプレイ４に一旦表示された書換メニュー上でキーボード３を介してユーザーにより第１書換の選択が行われたか否かにより行われる。尚、上記Ｓ３２の書換メニュー表示処理が行われた後から第１所定時間が経過しても第１書換の選択が行われなかった場合には、第１書換の選択が行われなかったと判定される。
【００４４】
ここで、第１書換の選択が行われた場合（Ｓ３３：ＹＥＳ）には、Ｓ３４の第１書換処理が行われる。この処理では、本実施形態に係るラベル作成方法がパーソナルコンピューター１０１で実行される場合には、パーソナルコンピューター１０１の第１通信インターフェース１１５を介してＨＤＤ１１４に記憶されたテープ情報４０２が送信ファイル３１２を介して書き換えられる。一方、本実施形態に係るラベル作成方法がラベルライター１で実行される場合には、パーソナルコンピューター１０１を経由してＥＥＰＲＯＭ６３に記憶されたテープ情報４０２が書き換えられる。第１書換処理の書換情報は、サーバー２０１が有するデータベース内の最新テープ情報２０３Ｂである。その最新テープ情報２０３Ｂとは、メーカーによって現実に供給されている全てのテープカセット６のインクリボン色である文字色とテープ色との組合せの最新情報である。その後は、Ｓ３５に進む。
【００４５】
また、第１書換の選択が行われなかった場合（Ｓ３３：ＮＯ）も、Ｓ３５に進む。Ｓ３５では、第２書換の選択が行われたか否かを判定する。この判定は、本実施形態に係るラベル作成方法がパーソナルコンピューター１０１で実行される場合には、上記Ｓ３２の書換メニュー表示処理でディスプレイ１０５に一旦表示された書換メニュー上で入力操作部１０７を介してユーザーにより第２書換の選択が行われたか否かによって行われる。一方、本実施形態に係るラベル作成方法がラベルライター１で実行される場合には、上記Ｓ３２の書換メニュー表示処理で液晶ディスプレイ４に一旦表示された書換メニュー上でキーボード３を介してユーザーにより第２書換の選択が行われたか否かによって行われる。尚、上記Ｓ３２の書換メニュー表示処理が行われた後から第２所定時間が経過しても第２書換の選択が行われなかった場合には、第２書換の選択が行われなかったと判定される。
【００４６】
ここで、第２書換の選択が行われた場合（Ｓ３５：ＹＥＳ）には、Ｓ３６の第２書換処理が行われる。この処理では、本実施形態に係るラベル作成方法がパーソナルコンピューター１０１で実行される場合には、ＨＤＤ１１４に記憶されたテープ情報４０２が入力操作部１０７を介してユーザーにより書き換えられる。一方、本実施形態に係るラベル作成方法がラベルライター１で実行される場合には、ＥＥＰＲＯＭ６３に記憶されたテープ情報４０２がキーボード３を介してユーザーにより書き換えられる。第２書換処理の書換情報は、ユーザーが現実に所持している全テープカセット６のインクリボン色である文字色とテープ色との組合せの情報と一致していることが望ましい。その後は、Ｓ３７に進む。
【００４７】
また、第２書換の選択が行われなかった場合（Ｓ３５：ＮＯ）も、Ｓ３７に進む。Ｓ３７では、第３書換の選択が行われたか否かを判定する。この判定は、本実施形態に係るラベル作成方法がパーソナルコンピューター１０１で実行される場合には、上記Ｓ３２の書換メニュー表示処理でディスプレイ１０５に一旦表示された書換メニュー上で入力操作部１０７を介してユーザーにより第３書換の選択が行われたか否かによって行われる。一方、本実施形態に係るラベル作成方法がラベルライター１で実行される場合には、上記Ｓ３２の書換メニュー表示処理で液晶ディスプレイ４に一旦表示された書換メニュー上でキーボード３を介してユーザーにより第３書換の選択が行われたか否かによって行われる。尚、上記Ｓ３２の書換メニュー表示処理が行われた後から第３所定時間が経過しても第３書換の選択が行われなかった場合には、第３書換の選択が行われなかったと判定される。
【００４８】
ここで、第３書換の選択が行われた場合（Ｓ３７：ＹＥＳ）には、Ｓ３８に進んで、第３書換処理が行われる。この処理では、本実施形態に係るラベル作成方法がパーソナルコンピューター１０１で実行される場合には、ＨＤＤ１１４に記憶された貼付対象データ情報４０５に含まれている色がパーソナルコンピューター１０１の第２通信インターフェース１１７を介して取り込まれた画像データ３０２に基づいて書き換えられる。一方、本実施形態に係るラベル作成方法がラベルライター１で実行される場合には、ＥＥＰＲＯＭ６３に記憶された貼付対象データ情報４０５に含まれている色がラベルライター１の通信インターフェース８２を介して取り込まれた画像データ３０２に基づいて書き換えられる。尚、第３書換処理における書換では、画像データ３０２に基づいて特定される色を貼付対象データ情報４０５に含まれている色に追加させてもよい。その後は、Ｓ３９に進む。
【００４９】
Ｓ３９では、続行ボタンが押下されたか否かが判定される。続行ボタンを押下するためには、本実施形態に係るラベル作成方法がパーソナルコンピューター１０１で実行される場合には、ディスプレイ１０５に表示された続行ボタン（不図示）が入力操作部１０７のマウスを介してユーザーによりクリックされる。一方、本実施形態に係るラベル作成方法がラベルライター１で実行される場合には、キーボード３の続行ボタン３Ｂがユーザーにより押下される。ここで、続行ボタンが押下された場合（Ｓ３９：ＹＥＳ）には、Ｓ３２に戻って、Ｓ３２の以降の処理が繰り返される。一方、続行ボタンが押下されていない場合（Ｓ３９：ＮＯ）には、図１５のフローチャートで表されたラベル作成方法プログラムが終了される。尚、本Ｓ３９の判定処理に進んだ後から第４所定時間が経過しても続行ボタンの押下が行われなかった場合には、続行ボタンが押下されていないと判定される。
【００５０】
［３．まとめ］すなわち、本実施形態に係るラベル作成方法では、ディスプレイ１０５と入力操作部１０７とＨＤＤ１１４とを備えたパーソナルコンピューター１０１において、又は、液晶ディスプレイ４とキーボード３とＥＥＰＲＯＭ６３とを備えたラベルライター１において、Ｓ３の決定処理で決定された基準色がＨＤＤ１１４又はＥＥＰＲＯＭ６３に記憶されたテープ情報４０２に含まれている何れかのテープ色と一致すると判定された場合（Ｓ４：ＹＥＳ）には、Ｓ５の第１表示処理が実行されて、Ｓ２の設定処理で設定されたラベル貼付対象物の色がディスプレイ１０５又は液晶ディスプレイ４の貼付対象表示領域５０１に表示されるとともに、Ｓ３の決定処理で決定された基準色が貼付対象表示領域５０１内のラベル表示領域５０２に表示される。一方、Ｓ３の決定処理で決定された基準色がＨＤＤ１１４又はＥＥＰＲＯＭ６３に記憶されたテープ情報４０２に含まれている何れのテープ色とも一致しないと判定された場合（Ｓ４：ＮＯ）には、Ｓ６の第２表示処理が実行されて、Ｓ２の設定処理で設定されたラベル貼付対象物の色がディスプレイ１０５又は液晶ディスプレイ４の貼付対象表示領域５０１に表示されるとともに、所定基準とＳ３の決定処理で決定された基準色とに基づいてＨＤＤ１１４又はＥＥＰＲＯＭ６３に記憶されたテープ情報４０２に含まれているテープ色の中から選択された色が貼付対象表示領域５０１内のラベル表示領域５０２に表示される。つまり、ディスプレイ１０５と入力操作部１０７とＨＤＤ１１４とを備えたパーソナルコンピューター１０１において、又は、液晶ディスプレイ４とキーボード３とＥＥＰＲＯＭ６３とを備えたラベルライター１において、入力操作部１０７又はキーボード３を介して入力された入力情報に基づいて設定されたラベル貼付対象物の色（ディスプレイ１０５又は液晶ディスプレイ４の貼付対象表示領域５０１に表示される色）に適切なテープ色（ディスプレイ１０５又は液晶ディスプレイ４の貼付対象表示領域５０１内のラベル表示領域５０２に表示される色）が、ＨＤＤ１１４又はＥＥＰＲＯＭ６３に記憶されたテープ情報４０２に含まれているテープ色の中からユーザーの手間無くして自動的に決定される（但し、図１６のＳ２１及びＳ２２の各処理を実行したケースを除く）。
【００５１】
また、本実施形態に係るラベル作成方法では、Ｓ６の第２表示処理で扱われる所定基準としてＨＤＤ１１４又はＥＥＰＲＯＭ６３に記憶された色相環データ４０３が使用されることから、Ｓ３の決定処理で決定された基準色がＨＤＤ１１４又はＥＥＰＲＯＭ６３に記憶されたテープ情報４０２に含まれている何れのテープ色とも一致しないと判定された場合（Ｓ４：ＮＯ）であっても、入力操作部１０７又はキーボード３を介して入力された入力情報に基づいて設定されたラベル貼付対象物の色（ディスプレイ１０５又は液晶ディスプレイ４の貼付対象表示領域５０１に表示される色）に適切なテープ色（ディスプレイ１０５又は液晶ディスプレイ４の貼付対象表示領域５０１内のラベル表示領域５０２に表示される色）が、色相的な観点より、ＨＤＤ１１４又はＥＥＰＲＯＭ６３に記憶されたテープ情報４０２に含まれている色の中から自動的に決定される。
【００５２】
また、本実施形態に係るラベル作成方法では、Ｓ７の一覧表示処理が実行されると、Ｓ５の第１表示処理又はＳ６の第２表示処理のテープ色（ディスプレイ１０５又は液晶ディスプレイ４の貼付対象表示領域５０１内のラベル表示領域５０２に表示される色）とＨＤＤ１１４又はＥＥＰＲＯＭ６３に記憶されたテープ情報４０２を介して組み合わされた文字色の一覧（図１１参照）がディスプレイ１０５又は液晶ディスプレイ４に一旦表示される。そして、Ｓ８の文字色選択処理が実行されると、Ｓ７の一覧表示処理でディスプレイ１０５又は液晶ディスプレイ４に一旦表示された一覧（図１１参照）の中から一つの文字色が入力操作部１０７又はキーボード３を介して選択される。更に、その後に実行されるＳ９の編集処理では、Ｓ８の文字色選択処理で選択された文字色とＳ５の第１表示処理又はＳ６の第２表示処理のテープ色（ディスプレイ１０５又は液晶ディスプレイ４の貼付対象表示領域５０１内のラベル表示領域５０２に表示される色）とＳ２の設定処理のラベル貼付対象物の色（ディスプレイ１０５又は液晶ディスプレイ４の貼付対象表示領域５０１に表示される色）とが使用されながら、入力操作部１０７又はキーボード３を介して編集されるラベル編集画像５０３がディスプレイ１０５又は液晶ディスプレイ４に表示される（図１０参照）。つまり、Ｓ８の文字色選択処理で選択された文字色とＳ５の第１表示処理又はＳ６の第２表示処理のテープ色（ディスプレイ１０５又は液晶ディスプレイ４の貼付対象表示領域５０１内のラベル表示領域５０２に表示される色）との組合せをＨＤＤ１１４又はＥＥＰＲＯＭ６３に記憶されたテープ情報４０２に記憶された組合せからユーザーは選択することができるので、Ｓ５の第１表示処理又はＳ６の第２表示処理で自動的に決定されたテープ色（ディスプレイ１０５又は液晶ディスプレイ４の貼付対象表示領域５０１内のラベル表示領域５０２に表示される色）に対してＨＤＤ１１４又はＥＥＰＲＯＭ６３に記憶されたテープ情報４０２を介して組み合わされた文字色の中からユーザーの好みで選択された文字色が使用された編集が行われることが可能である。
【００５３】
また、本実施形態に係るラベル作成方法では、Ｓ１０の検出処理が実行されると、Ｓ９の編集処理で編集されたラベル編集画像５０３に基づいてラベルＬが作成される、カセット収納部５に装着中のテープカセット６のテープ色と文字色とがカセットセンサー７を介して検出される。更に、その後に実行されるＳ１２の警告表示処理では、Ｓ１０の検出処理で検出されたテープ色とＳ５の第１表示処理又はＳ６の第２表示処理のテープ色（ディスプレイ１０５又は液晶ディスプレイ４の貼付対象表示領域５０１内のラベル表示領域５０２に表示される色）とが一致しない場合（Ｓ１１：ＮＯ）に、又はＳ１０の検出処理で検出された文字色とＳ８の文字色選択処理で選択された文字色とが一致しない場合（Ｓ１１：ＮＯ）に、ディスプレイ１０５又は液晶ディスプレイ４に警告メッセージが表示される（図１２参照）。つまり、カセットセンサー７を介して検出されたテープカセット６のテープ色と文字色とによって、Ｓ９の編集処理で編集されたラベル編集画像５０３に基づいたラベルＬが作成できなければ、ディスプレイ１０５又は液晶ディスプレイ４に表示される警告メッセージを介して、ユーザーの注意を喚起させることができる。
また、本実施形態に係るラベル作成方法では、Ｓ３４の第１書換処理が実行されると、パーソナルコンピューター１０１の第１通信インターフェース１１５を介してＨＤＤ１１４に記憶されたテープ情報４０２が書き換えられる。更に、本実施形態に係るラベル作成方法がラベルライター１で実行される場合には、パーソナルコンピューター１０１を経由してＥＥＰＲＯＭ６３に記憶されたテープ情報４０２が書き換えられる。これにより、テープ情報４０２の随時更新を可能にするので、アップグレードされたテープ情報４０２（サーバー２０１が有する最新テープ情報２０３Ｂ）に対応させることができる。
【００５４】
また、本実施形態に係るラベル作成方法では、Ｓ３６の第２書換処理が実行されると、入力操作部１０７又はキーボード３を介してＨＤＤ１１４又はＥＥＰＲＯＭ６３に記憶されたテープ情報４０２が書き換えられ、テープ情報４０２の随時更新を可能にするので、ユーザーの事情に合ったテープ情報４０２に対応させることができる。
また、本実施形態に係るラベル作成方法では、ＨＤＤ１１４又はＥＥＰＲＯＭ６３に記憶された貼付対象データ情報４０５に含まれている色の中から入力操作部１０７又はキーボード３を介して選択された色が、入力操作部１０７又はキーボード３を介して入力された入力情報として、Ｓ２の設定処理で扱われることから、ラベル貼付対象物の色（ディスプレイ１０５又は液晶ディスプレイ４の貼付対象表示領域５０１に表示される色）をユーザーは容易に設定することができる。
また、本実施形態に係るラベル作成方法では、Ｓ３８の第３書換処理が実行されると、ＨＤＤ１１４又はＥＥＰＲＯＭ６３に記憶された貼付対象データ情報４０５に含まれている色がパーソナルコンピューター１０１の第２通信インターフェース１１７又はラベルプリンター１の通信インターフェース８２を介して取り込まれた画像データ３０２に基づいて書き換えられるので、ラベル貼付対象物の色（ディスプレイ１０５又は液晶ディスプレイ４の貼付対象表示領域５０１に表示される色）をユーザーは補充して設定することができると共に、ラベル貼付対象物の色（ディスプレイ１０５又は液晶ディスプレイ４の貼付対象表示領域５０１に表示される色）をユーザーは現実のものに設定することができる。
【００５５】
また、本実施形態に係るラベル作成方法にて、Ｓ３の決定処理が実行される際に、Ｓ２１の候補色表示処理とＳ２２の基準色選択処理が実行される場合には、先ず、Ｓ２１の候補色表示処理が実行されて、ＨＤＤ１１４又はＥＥＰＲＯＭ６３に記憶されたテープ情報４０２に含まれている複数の色が候補色としてディスプレイ１０５又は液晶ディスプレイ４に一旦表示され、次に、Ｓ２２の基準色選択処理が実行されて、Ｓ２１の候補色表示処理でディスプレイ１０５又は液晶ディスプレイ４に一旦表示された候補色の中から一つの色が基準色として入力操作部１０７又はキーボード３を介して選択されるので、ディスプレイ１０５又は液晶ディスプレイ４内の貼付対象表示領域５０１内のラベル表示領域５０２に表示される色（テープ色）をユーザーの好みで選択された色にすることができる。
また、本実施形態に係るラベル作成方法において、Ｓ２１の候補色表示処理でディスプレイ１０５又は液晶ディスプレイ４に一旦表示された候補色の中には、Ｓ２の設定処理で設定されたラベル貼付対象物の色についてＨＤＤ１１４又はＥＥＰＲＯＭ６３に記憶された色相環データ４０３から求められた類似色又は補色が含まれている場合には、ラベル貼付対象物の色（ディスプレイ１０５又は液晶ディスプレイ４の貼付対象表示領域５０１に表示される色）に対してテープ色（ディスプレイ１０５又は液晶ディスプレイ４の貼付対象表示領域５０１内のラベル表示領域５０２に表示される色）を調和・融合させたり、鮮明に浮かび上がらせたりすることができる。
【００５６】
［４．その他］尚、本発明は上記実施形態に限定されるものでなく、その趣旨を逸脱しない範囲で様々な変更が可能である。例えば、上記図１４のＳ３乃至Ｓ７の各処理に代えて、図１７に記載するＳ１０１乃至Ｓ１０５の各処理が行われてもよい。以下、図１７のフローチャートで表されたラベル作成方法プログラムについて説明する。上記図１４のＳ２の設定処理が行われた後は、図１７に表されたように、先ず、Ｓ１０１において、全テープリストからの選択を行うか否かを判定する。全テープリストとは、図９（ａ）に表されたテープ情報４０２Ａのように、メーカーによって現実に供給されている全てのテープカセット６のインクリボン色である文字色とテープ色との組合せの情報である。
【００５７】
ここで、全テープリストからの選択を行う場合（Ｓ１０１：ＹＥＳ）には、Ｓ１０２に進んで、全テープリストから近似するテープ色が自動選択される。つまり、上記図１４のＳ２の設定処理で設定されたラベル貼付対象物の色（貼付対象表示領域５０１の表示色）に適した色に近似・一致するテープ色が全テープリストのテープ色から自動選択され、その自動選択されたテープ色が貼付対象表示領域５０１内のラベル表示領域５０２に表示される。この表示処理は、本実施形態に係るラベル作成方法がパーソナルコンピューター１０１で実行される場合にはディスプレイ１０５で行われ、本実施形態に係るラベル作成方法がラベルライター１で実行される場合には液晶ディスプレイ４で行われる。その後に進んだＳ１０３では、全テープリストから文字色が一覧表示される。つまり、貼付対象表示領域５０１内のラベル表示領域５０２に表示される色と全テープリストを介して組み合わされた文字色の一覧が一旦表示される。この表示処理は、本実施形態に係るラベル作成方法がパーソナルコンピューター１０１で実行される場合にはディスプレイ１０５で行われ、本実施形態に係るラベル作成方法がラベルライター１で実行される場合には液晶ディスプレイ４で行われる。その後、上記図１４のＳ８の文字色選択処理に進む。
【００５８】
一方、全テープリストからの選択を行わない場合（Ｓ１０１：ＮＯ）には、Ｓ１０４に進んで、購入テープリストから近似するテープ色が自動選択される。購入テープリストとは、図９（ｂ）に表されたテープ情報４０２Ｂのように、ユーザーが現実に所持している全てのテープカセット６のインクリボン色である文字色とテープ色との組合せの情報である。つまり、上記図１４のＳ２の設定処理で設定されたラベル貼付対象物の色（貼付対象表示領域５０１の表示色）に適した色に近似・一致するテープ色が購入テープリストのテープ色から自動選択され、その自動選択されたテープ色が貼付対象表示領域５０１内のラベル表示領域５０２に表示される。この表示処理は、本実施形態に係るラベル作成方法がパーソナルコンピューター１０１で実行される場合にはディスプレイ１０５で行われ、本実施形態に係るラベル作成方法がラベルライター１で実行される場合には液晶ディスプレイ４で行われる。その後は、Ｓ１０５に進む。Ｓ１０５では、購入テープリストから文字色が一覧表示される。つまり、貼付対象表示領域５０１内のラベル表示領域５０２に表示される色と購入テープリストを介して組み合わされた文字色の一覧が一旦表示される。この表示処理は、本実施形態に係るラベル作成方法がパーソナルコンピューター１０１で実行される場合にはディスプレイ１０５で行われ、本実施形態に係るラベル作成方法がラベルライター１で実行される場合には液晶ディスプレイ４で行われる。その後は、上記図１４のＳ８の文字色選択処理に進む。
【符号の説明】
【００５９】
１  ラベルライター    ３  キーボード    ４  液晶ディスプレイ
６  テープカセット    ７  カセットセンサー    ６１  ＣＰＵ
６３  ＥＥＰＲＯＭ    ８３  通信インターフェース
１０１  パーソナルコンピューター    １０５  ディスプレイ    １０７  入力操作部
１１１  ＣＰＵ    １１４  ＨＤＤ    １１５  第１通信インターフェース
１１６  第２通信インターフェース    ３０２  画像データ    ３１１  ＣＤ−ＲＯＭ
３１２  送信ファイル    ４０２  テープ情報    ４０３  色相環データ
４０４  警告メッセージデータ    ４０５  貼付対象データ情報
５０１  貼付対象表示領域    ５０２  ラベル表示領域    ５０３  ラベル編集画像
５０４  文字色一覧表示欄    ５０５  警告メッセージ表示欄    ５０６  候補色表示欄
Ｌ  ラベル    Ｓ２  設定処理    Ｓ３  決定処理    Ｓ４  判定処理
Ｓ５  第１表示処理    Ｓ６  第２表示処理     Ｓ７  一覧表示処理
Ｓ８  文字色選択処理    Ｓ９  編集処理    Ｓ１０  検出処理
Ｓ１２  警告表示処理    Ｓ２１  候補色表示処理    Ｓ２２  基準色選択処理
Ｓ３４  第１書換処理    Ｓ３６  第２書換処理    Ｓ３８  第３書換処理 
【図１】
2012073700.tif 000003
【図２】
2012073700.tif 000004
【図３】
2012073700.tif 000005
【図４】
2012073700.tif 000006
【図５】
2012073700.tif 000007
【図６】
2012073700.tif 000008
【図７】
2012073700.tif 000009
【図８】
2012073700.tif 000010
【図９】
2012073700.tif 000011
【図１０】
2012073700.tif 000012
【図１１】
2012073700.tif 000013
【図１２】
2012073700.tif 000014
【図１３】
2012073700.tif 000015
【図１４】
2012073700.tif 000016
【図１５】
2012073700.tif 000017
【図１６】
2012073700.tif 000018
【図１７】
2012073700.tif 000019